(57)【要約】【課題】  作業対象以外の主配線盤（ＭＤＦ）を養生して、作業対象の主配線盤の誤認を防止することが可能であり、作業対象以外の主配線盤に対しても負荷を与えない主配線盤用養生具を提供すること。【解決手段】  少なくとも一の開口部３を備える袋状の袋体部２からなり、開口部３を形成する袋体部２の環状の端部には、その端部に沿うようにゴム材からなる輪ゴム部２ａを備え、開口部３を介して、袋体部２によって主配線盤１０を被覆すること。【選択図】図２
2014033345.tif 000002
【特許請求の範囲】
【請求項１】
複数の通信回線を集線及び分配する主配線盤（ＭＤＦ）用養生具であって、
前記主配線盤は立体形状をなし、少なくとも一面は当該主配線盤が固定される支持部材への相対面となって固定可能となっており、
前記主配線盤用養生具は、少なくとも一の開口部を備える袋状の袋体部からなり、前記開口部を形成する前記袋体部の環状の端部には、当該端部に沿うようにゴム材からなる輪ゴム部を備え、
前記開口部を介して、前記袋体部によって前記主配線盤を被覆することを特徴とする主配線盤用養生具。
【請求項２】
前記主配線盤は前記相対面以外の面にジャンパ線の一端が接続されており、当該ジャンパ線の他端側は、前記相対面側に引き回されており、
前記主配線盤とともに前記ジャンパ線をも被覆することが可能であることを特徴とする請求項１に記載の主配線盤用養生具。
【請求項３】
前記主配線盤は、前記相対面側に、前記ジャンパ線が挿通されるガイド部を備え、
当該ガイド部に前記輪ゴム部が掛け回されて、前記主配線盤を被覆することを特徴とする請求項１又は請求項２に記載の主配線盤用養生具。
【請求項４】
前記主配線盤は、絶縁素材によって構成されることを特徴とする請求項１乃至請求項３のうち、いずれか１に記載の主配線盤用養生具。
【請求項５】
前記袋体部は、難燃性素材によって構成されることを特徴とする請求項１乃至請求項４のうち、いずれか１に記載の主配線盤用養生具。
【請求項６】
前記袋体部は、布状繊維素材によって構成されることを特徴とする請求項１乃至請求項５のうち、いずれか１に記載の主配線盤用養生具。
【請求項７】
前記袋体部には、文字及び／又は図形からなる情報を記載可能であることを特徴とする請求項１乃至請求項６のうち、いずれか１に記載の主配線盤用養生具。
【請求項８】
前記袋体部は、前記開口部以外の位置に開口からなる窓部を備えることを特徴とする請求項１乃至請求項７のうち、いずれか１に記載の主配線盤用養生具。
【発明の詳細な説明】
【技術分野】
【０００１】
本発明は、作業対象以外の主配線盤（ＭＤＦ）を養生して、作業対象の主配線盤の誤認を防止することが可能な主配線盤用養生具に関する。
【背景技術】
【０００２】
電話線等の通信回線をビル・マンション内に引くにあたって、交換機（ＰＢＸ）に接続された大量の通信回線の束や、電話局側から引いてきた大量の通信回線の束の整理を行うべく、電話線の集線分配装置として主配線盤（ＭＤＦ）が用いられている。同様に電話局側においても電話線等の通信回線の整理を行うべく、主配線盤を設置している。
【０００３】
［主配線盤（ＭＤＦ）の構成］
図５及び図６を用いて、主配線盤の構成及び使用方法を説明する。図５は、主配線盤の設置状況の一例を示す斜視図であり、図６は、主配線盤の使用状況の一例を示す拡大斜視図である。
【０００４】
ビル・マンション内における主配線盤の使用方法を例に説明するに、図５に示すように、主配線盤１０は、主配線盤用のラック等に備えられた縦架された支柱１５に配されるものであって、一般的に１つの支柱１５に対して複数個の主配線盤１０が固定されて、支柱１５が主配線盤の支持部材として機能する。
【０００５】
図５においては、１つの支柱１５に対して４台の主配線盤１０が上下方向に間隔を空けて固定されており、４つの支柱１５に対して、計１６台の主配線盤１０が固定されている。
【０００６】
図５における各々の主配線盤１０を拡大した図を図６として示すに、主配線盤１０は、例えば、直方体状に構成され、背面１０ｂ側においてラックの支柱１５に対して固定されており、主配線盤１０の背面１０ｂが、支柱１５への相対面となる。
【０００７】
具体的な主配線盤１０の固定方法としては、例えば、図６に示すように、主配線盤１０の相対面（背面）１０ｂ側には、平面１０ｃ方向と底面１０ｄ方向に突設された矩形板状の取付部１３が配されている。平面１０ｃ方向と底面１０ｄ方向とに突設された各々の取付部１３には、貫通孔としての挿通孔１３ａが複数形成されている。
【０００８】
また、支柱１５には、図３に示すように、等間隔で螺子穴１５ａが複数形成されており、この螺子穴１５ａは、主配線盤１０の挿通孔１３ａに対応した間隔で形成されている。図６に示すように、支柱１５の螺子穴１５ａに対して、主配線盤１０の挿通孔１３ａを位置合わせし、螺子１６により主配線盤１０を支柱１５に対して固定する。
【０００９】
主配線盤１０の左側面１０ｅと右側面１０ｆには、ジャンパ線１４を接続するための、端子部１１が複数突設されている。端子部１１は、主配線盤１０の左側面１０ｅに４行２列の計８つが配されており、同様に左側面１０ｆにも、右側面１０ｆの端子部１１に対応した箇所に計８つの端子部１１が配されている。
【００１０】
尚、一般に主配線盤（ＭＤＦ）においては、数十から数百の端子が備わっているものであるが、本説明においては、容易な把握を可能とするべく、端子数を８つとして説明する。
【００１１】
両側面１０ｅ，１０ｆに配された各々の端子部１１は、主配線盤１０の直方体の本体を介して対向する位置の端子部１１と本体の内部で導通している。
【００１２】
また、主配線盤１０の背面１０ｂ側には、左側面１０ｅ方向と右側面１０ｆ方向に突設された長尺板状のガイド部１２が配されている。左側面１０ｅ方向と右側面１０ｆ方向とに突設された各々のガイド部１２には、貫通孔としてのガイド孔１２ａが複数配されており、後述するように、ガイド孔１２ａにジャンパ線１４が挿通されて、ジャンパ線１４を方向づけてガイドするものである。
【００１３】
ガイド孔１２ａは、主配線盤１０の両側面１０ｅ，１０ｆに各々配された端子部１１の数と同数配されており、本説明においては、各側面における端子部１１の数に対応して縦方向に各々８つのガイド孔１２ａが配されている。尚、ガイド孔１２ａは端子部１１の数と同数備えられる必要はなく、例えば１つにまとめられている構成も存在する。
【００１４】
主配線盤１０の両側面１０ｅ，１０ｆに配された端子部１１には、ジャンパ線１４が配されるものであって、例えば、左側面１０ｅの端子部１１に一端が接続されたジャンパ線１４は、他端側において図示しない電話機や、中継端子盤（ＩＤＦ）等の内線用器機と接続されている。
【００１５】
主配線盤１０の右側面１０ｆにおいても、同様にジャンパ線１４が接続されているものであって（図示せず）、主配線盤１０の右側面に一端が接続されたジャンパ線１４は、交換機（ＰＢＸ）に接続されている。
【００１６】
前述の如く、両側面１０ｅ，１０ｆに配された各々端子部１１は、主配線盤１０の本体を介して対向する端子部１１と導通しているため、両側面１０ｅ，１０ｆの端子部１１に配されたジャンパ線１４及び主配線盤１０により、交換機側と内線側とが電気的に接続される。
【００１７】
主配線盤１０の両側面１０ｅ，１０ｆの端子部１１に接続されたジャンパ線１４は、端子部１１への結線にあたり、ジャンパ線１４の素線１４ａから樹脂製の被腹部１４ｂが剥がされて、端子部１１の中腹に設けられた凹部１１ａを利用して素線１４ａが絡げられて（ラッピングされて）結線されている。また、図６における左側面１０ｅの下段手前側の端子部１１及びジャンパ線１４のように、半田１７により結線される場合や、端子部１１に圧着端子等を介して螺子止めされる場合もある。
【００１８】
主配線盤１０の両側面１０ｅ，１０ｆに接続されたジャンパ線１４は、主配線盤１０における作業性及び大量のジャンパ線１４を整然と配するべく、主配線盤１０の背面方向（相対面１０ｂ）側に一旦、引き回されるものであって、その後、交換機や、内線用器機へとジャンパ線１４が引き回されて接続される。
【００１９】
また、ジャンパ線１４は、主配線盤１０の背面側に引き回されるにあたり、ガイド部１２のガイド孔１２ａに挿通されて背面側に引き回されることにより、ジャンパ線１４が主配線盤１０の背面１０ｂ方向にガイドされる。また、このようなガイド部１２を備えない主配線盤１０も多数存在する。
【００２０】
［主配線盤（ＭＤＦ）における作業方法］
交換機を交換するような場合、即ち、主配線盤に既に接続されているジャンパ線の接続を解除し、新交換機へ接続されているジャンパ線を新たに主配線盤に接続する等、主配線盤に対して作業を行う必要が出てくる。
【００２１】
その場合、多数ある主配線盤の中から作業対象の主配線盤を明確にして、誤配線等の事故を防止し、かつ、作業対象以外の主配線盤を養生するべく、作業対象の周囲の主配線盤や、作業対象以外の主配線盤をビニールシートで覆う等して養生していた。
【００２２】
特に、一般に主配線盤においては、数十から数百の端子が備わっているため、誤配線や、作業対象の主配線盤の取り違えは絶対に避けなければならない。
【００２３】
例えば、図５におけるＸで示す主配線盤１０に対して、作業を行う場合、その周囲のＹで示す８台の主配線盤１０に対してビニールシート等を被覆して養生を行っていた。
【００２４】
尚、出願人は、上記従来技術に係る事実を知っているものの、これらの先行技術は、文献公知発明に係るものではなく、技術文献情報としては不知である。
【発明の概要】
【発明が解決しようとする課題】
【００２５】
しかしながら、作業対象以外の主配線盤をビニールシートで覆う等して養生する場合、図５及び図６に示すように、主配線盤１０は、相対面１０ｂ（背面）側において、主配線盤用のラック等に備えられて、縦架された支柱１５に固定されており、ビニールシートの固定は、テープ等を用いて主配線盤１０の背面１０ｂ側で縦架された支柱１５に対して行う必要があり、非常に困難であった。
【００２６】
即ち、作業対象以外の主配線盤１０（Ｙ）をビニールシートで覆うにも、ビニールシートを固定するテープが依拠しうる固定面が少ないため、ビニールシートの設置が困難であった。
【００２７】
また、主配線盤１０からは、何十、何百とジャンパ線１４が接続されているため、主配線盤１０の両側面１０ｅ，１０ｆから背面１０ｂ側にかけては、大量のジャンパ線１４が存在しており、支持柱１５が隠れてしまい又は大量のジャンパ線１４の存在により、より一層ビニールシートのテープにより固定が困難である。
【００２８】
特に、主配線盤１０からは、何十、何百とジャンパ線１４が接続されており、前述のようにジャンパ線１４は、ジャンパ線１４の素線１４ａが主配線盤１０の端子部１１に絡げられて（ラッピングされて）結線され、又は半田付けにより結線される場合があるため、ジャンパ線１４に対してストレスがかかることによる結線部の首折れを避けなくてはならず、主配線盤１０自体にテープでビニールシートを固定することは困難である。
【００２９】
また、主配線盤１０の端子部１１へのジャンパ線１４の接続が半田によって行われている場合は、半田１７の鉛の飛散によって、ビニールシートが溶けてしまい、そのまま、飛散した半田の鉛により、作業対象以外の主配線盤１０（Ｙ）にまで半田の鉛が飛散する可能性もある。
【００３０】
そこで、本発明は、上述の問題に鑑みてなされたものであり、作業対象以外の主配線盤（ＭＤＦ）を養生して、作業対象の主配線盤の誤認を防止することが可能であり、作業対象以外の主配線盤に対しても負荷を与えない主配線盤用養生具を提供することを目的とする。
【課題を解決するための手段】
【００３１】
上記目標達成のため、本発明は、複数の通信回線を集線及び分配する主配線盤（ＭＤＦ）用養生具であって、前記主配線盤は立体形状をなし、少なくとも一面は当該主配線盤が固定される支持部材への相対面となって固定の可能となっており、前記主配線盤用養生具は、少なくとも一の開口部を備える袋状の袋体部からなり、前記開口部を形成する前記袋体部の環状の端部には、当該端部に沿うようにゴム材からなる輪ゴム部を備え、前記開口部を介して、前記袋体部によって前記主配線盤を被覆することを特徴とする。
【００３２】
また、本発明の主配線盤用養生具における前記主配線盤は前記相対面以外の面にジャンパ線の一端が接続されており、当該ジャンパ線の他端側は、前記相対面側に引き回されており、前記主配線盤とともに前記ジャンパ線をも被覆することが可能であることを特徴とする。
【００３３】
また、本発明の主配線盤用養生具における前記主配線盤は、前記相対面側に、前記ジャンパ線が挿通されるガイド部を備え、当該ガイド部に前記輪ゴム部が掛け回されて、前記主配線盤を被覆することを特徴とする。
【００３４】
また、本発明の主配線盤用養生具における前記主配線盤は、絶縁素材によって構成されることを特徴とする。
【００３５】
また、本発明の主配線盤用養生具における前記袋体部は、難燃性素材によって構成されることを特徴とする。
【００３６】
また、本発明の主配線盤用養生具における前記袋体部は、布状繊維素材によって構成されることを特徴とする。
【００３７】
また、本発明の主配線盤用養生具における前記袋体部には、文字及び／又は図形からなる情報を記載可能であることを特徴とする。
【００３８】
また、本発明の主配線盤用養生具における前記袋体部は、前記開口部以外の位置に開口からなる窓部を備えることを特徴とする。
【発明の効果】
【００３９】
本発明によれば、作業対象以外の主配線盤（ＭＤＦ）を養生することにより、作業対象の主配線盤の誤認を防止することが可能であり、輪ゴム部が備えられた袋体部によって、主配線盤用養生具が被覆された作業対象以外の主配線盤に対して負荷を与えることなしに、安全確実に作業対象以外の主配線盤の養生が可能である。
【００４０】
また、本発明の主配線盤用養生具は、輪ゴム部が備えられた袋体部という簡易な構成となっているため、安価かつ容易に製造することが可能であるばかりか、主配線盤に対する取り付け及び取り外しが、特殊な技能を要することなく、非常に容易かつ素早く行うことが可能である。また、袋体部が主配線盤に被覆されるというシンプルな構成であることから、その使用状態における審美性に富んでいる。
【００４１】
また、本発明の主配線盤用養生具は、袋体部に備えられた輪ゴム部により、ジャンパ線に対して影響を与えることなく、結線部の首折れを防止可能であるとともに、主配線盤に対して主配線盤用養生具を留め置くことが可能である。
【００４２】
また、本発明の主配線盤用養生具は、輪ゴム部が備えられた袋体部から構成されるため、主配線盤に対する取り付け及び取り外しも非常に容易であり、そのため、主配線盤用養生具により養生中であっても、被覆されている主配線盤の状態確認も容易に可能である。
【００４３】
また、本発明の主配線盤用養生具は、絶縁素材で構成されることにより、主配線盤の端子部や、ジャンパ線による短絡事故等を防止可能である。
【００４４】
また、本発明の主配線盤用養生具は、難燃性素材によって構成されることにより、作用対象の主配線盤から半田等が飛散した場合であっても、作業対象以外の主配線盤を防護可能である。
【００４５】
また、本発明の主配線盤用養生具は、布状繊維素材によって構成されることにより、洗浄等を行うことにより、リユース可能であり、省資源化が達成可能であるばかりか、ビニールシートをテープで固定していた従来の養生方法に比して現場における廃棄物の発生を効果的に防止可能である。
【００４６】
また、本発明の主配線盤用養生具は、袋体部に、例えば、「養生中」等の文字情報や、図形情報を記載可能であるため、より効果的に作業者に作業対象の主配線盤とそれ以外の主配線盤を伝えることが可能である。
【００４７】
また、本発明の主配線盤用養生具は、袋体部において、開口部に対向する位置に開口からなる窓部を備えた袖状に構成されたことにより、作業中等に被覆された主配線盤の状態を確認したいような場合は、窓部から内部の主配線盤を容易に確認することが可能である。
【図面の簡単な説明】
【００４８】
【図１】本発明の第１の実施形態に係る主配線盤用養生具の構成を示す斜視図である。
【図２】本発明の第１の実施形態に係る主配線盤用養生具の使用状態の一例を示す斜視図である。
【図３】本発明の第１の実施形態に係る主配線盤用養生具の他の使用状態の一例を示す部分拡大斜視図である。
【図４】本発明の第２の実施形態に係る主配線盤用養生具を示す図であり、（ａ）はその構成、（ｂ）は、主配線盤に被覆した状態を示している。
【図５】主配線盤の設置状況の一例を示す斜視図である。
【図６】主配線盤の使用状況の一例を示す拡大斜視図である。
【発明を実施するための形態】
【００４９】
［本発明の第１の実施形態に係る主配線盤用養生具］
以下、本発明の第１の実施形態に係る主配線盤用養生具について図１乃至図３を参照しながら詳細に説明する。図１は、本発明の第１の実施形態に係る主配線盤用養生具の構成を示す斜視図である。図２は、本発明の第１の実施形態に係る主配線盤用養生具の使用状態の一例を示す斜視図である。図３は、本発明の第１の実施形態に係る主配線盤用養生具の他の使用状態の一例を示す部分拡大斜視図である。尚、背景技術において説明したものと同一機能及び構成を有するものについては同一の参照符号を付して示し、その詳細な説明は省略する。
【００５０】
尚、本発明の主配線盤用養生具は、開口部を備える袋状の袋体部からなり、開口部の端部に沿うように輪ゴム部を備えていることから、簡易かつ安価な構成で、主配線盤に負荷をかけることなく、容易かつ素早く被覆して養生し、作業対象の主配線盤の誤認を防止可能とするものである。
【００５１】
［本発明の第１の実施形態に係る主配線盤用養生具の構成］
図１を使用して本発明の第１の実施形態に係る主配線盤用養生具の構成を説明する。図１に示すように、主配線盤用養生具１は、いわゆるシャワーキャップ状に構成されるものであって、シャワーキャップが被覆者の頭をその内部に挿入するように、その内部に主配線盤が挿入されて、主配線盤を被覆するものである。
【００５２】
主配線盤用養生具１は、開口部３を備える袋状の袋体部２によって構成されている。開口部３を形成する袋体部２の環状の端部には、その端部に沿うようにゴム材からなる輪ゴム部２ａが配されている。
【００５３】
輪ゴム部２ａは、図４に示す主配線盤１０及びジャンパ線１４に対して負荷（ストレス）をかけないように、主配線盤１０に被覆されていない状態、即ち、図１の状態において、開口部３が十分に開口されて（開かれて）、主配線盤１０及びジャンパ線１４をきつく絞め付けすぎないような長さ及び弾性とする。換言すれば、輪ゴム部２ａは、主配線盤用養生具１（袋体部２）を主配線盤１０を被覆した状態で留め置くために必要最低限の長さ及び弾性とすれば足りる。
【００５４】
また、主配線盤用養生具１は、難燃性、かつ、絶縁素材で構成されることにより、主配線盤の端子部や、ジャンパ線による短絡事故等を防止可能であるとともに、作用対象の主配線盤から半田等が飛散した場合であっても、作業対象以外の主配線盤を防護可能である。この素材としては、例えば、耐熱性、加工性、柔軟性、絶縁性に優れたアルミナ長繊維等の布状繊維素材が挙げられる。
【００５５】
また、袋体部２には、図２の下段であって紙面の右側から２番目の主配線盤１０に被覆された主配線盤用養生具１に示すように開口部３の反対側に「養生中」等の文字情報や、図形情報を記載可能な情報表示部４を備えており、より効果的に作業者に作業対象の主配線盤とそれ以外の主配線盤を伝えることが可能である。
【００５６】
［本発明の第１の実施形態に係る主配線盤用養生具の使用方法］
図２を使用して本発明の第１の実施形態に係る主配線盤用養生具の使用方法を説明する。図２に示すように、支柱１５に固定された作業対象の主配線盤１０をＸとすると、少なくとも、作業対象の主配線盤１０（Ｘ）の周囲の主配線盤１０に対して、主配線盤用養生具１が被覆される。このＸの周囲の主配線盤１０をＹとして図２において示す。
【００５７】
主配線盤用養生具１は、開口部３を介して、主配線盤１０の正面１０ａ側から袋体部２が主配線盤１０に被覆される。即ち、主配線盤１０の相対面１０ｂ以外の面１０ａ，１０ｃ，１０ｄ，１０ｅ，１０ｆが袋体部２によって被覆される。
【００５８】
この場合、開口部３の周囲に配された輪ゴム部２ａの存在により、被覆した主配線盤１０の周囲に主配線盤用養生具１（袋体部２）を留め置くことが可能である。
【００５９】
また、主配線盤用養生具１は、主配線盤１０の相対面１０ｂ以外の面にジャンパ線１４の一端が接続されており、ジャンパ線の他端側は、背面となる相対面側に引き回されている場合は主配線盤２０とともにジャンパ線１４をも被覆することが可能である。
【００６０】
即ち、図２及び図６においては、主配線盤１０の相対面１０ｂ以外の面となる両側面１０ｅ，１０ｆにジャンパ線１４の一端が接続されており、ジャンパ線１４の他端側は、相対面側１０ｂに引き回されており、主配線盤１０とともに背面側に引き回されたジャンパ線１４をも被覆することが可能であり、開口部３の周囲に配された輪ゴム部２ａの存在により、被覆した主配線盤１０及びジャンパ線１４の周囲に主配線盤用養生具１（袋体部２）を留め置くことが可能である。
【００６１】
また、主配線盤１０は、ジャンパ線１４が挿通されるガイド部１２が備えられている場合には、ガイド部１２自体に主配線盤用養生具１の輪ゴム部２ａが掛け回されて、被覆した主配線盤１０及びジャンパ線１４の周囲に主配線盤用養生具１（袋体部２）を留め置く（仮止めする）ことも可能である。
【００６２】
また、図２においてＺで示すように、袋体部２、輪ゴム部２ａ、開口部の大きさ等を調整して、大型又は長尺の主配線盤用養生具１を形成し、複数の主配線盤１０を被覆することも可能である。図２においては、２つの主配線盤１０が長尺状の主配線盤用養生具１（Ｚ）により被覆されている。
【００６３】
［本発明の第１の実施形態に係る主配線盤用養生具の他の使用方法］
図３を使用して本発明の第１の実施形態に係る主配線盤用養生具の他の使用方法を説明する。図３は、例えば、主配線盤１０にジャンパ線１４を介して接続された交換機（ＰＢＸ）を、交換機の老朽化や機能更新に伴う新旧交換機の交換作業の一手順の状態を示したものであり、説明のため、図２及び図４に示した４つの支柱１５のうちの１本のみを拡大して説明するものである。
【００６４】
新旧交換機の更改作業においては、電話等のサービスの中断を防止するべく、既設交換機と新設交換機をジャンパ線で双方共に接続した状態で新旧交換機の交換を行う作業、即ち二重ジャンパ工法が採用されている。
【００６５】
その場合、既設交換機と新設交換機との交換作業にあたっては、既設交換機及びそれに接続された既設主配線盤を維持したまま、新設交換機及びそれに接続する新設主配線盤を用意して、双方にジャンパ線が接続された状態とした後に新旧の切替を行う。既設の主配線盤の設置位置に新設主配線盤が設置されることから、既設主配線盤を支柱から取り外し、そのまま既存の設置位置の近傍に既設主配線盤に維持したまま、新設交換機に接続されている新設主配線盤の設置を行う。
【００６６】
この作業にあたって、図３は、既設の主配線盤１０を支柱１５から取り外した状態であっても、紐体１９によって天井やラックに既設の主配線盤１０を吊して、支柱１５の近傍に維持し、既設のジャンパ線１４の接続を維持している状態を示している。
【００６７】
具体的に、ジャンパ線１４を介して既設交換機に接続された既設の主配線盤１０を支柱１５から、螺子１６（図６）のよる締結固定を解除して取り外し、図３及び図６に示す主配線盤１０の取付部１３における挿通孔１３ａを利用し、挿通孔１３ａに紐体９を結びつけることによって天井やラックに既設の主配線盤１０を吊す。
【００６８】
それにより、支柱１５による支持を紐体９による支持へと切替え、支柱１５に固定されていた状態と同様の４つの既設の主配線盤１０を数珠繋ぎの状態で吊して、既存の設置位置の近傍においてジャンパ線１４の接続を維持する。尚、支柱１５は主配線盤用ラックから取り外し可能として、新旧主配線盤の取り付け作業の作業性を向上させているラックも存在する。
【００６９】
その後、支柱１５に対して、螺子穴１５ａを利用して新設主配線盤（図示せず）を取り付けて、二重ジャンパ状態を確立した後、既設の主配線盤１０のジャンパ接続を解除することにより、新設交換機への切替が完了し、既設交換機及びそれに接続された吊り下げ状態の既設の主配線盤１０を撤去する。
【００７０】
この紐体９による既設主配線盤１０の吊り下げ状態においても、主配線盤用養生具１が使用されるものであって、図３の最下段に吊された既設の主配線盤１０に示すように、既設主配線盤１０に対して主配線盤用養生具１を被覆して使用可能である。図３においては、例示として最下段の最下段に吊された既設の主配線盤１０にのみ主配線盤用養生具１を被覆しているが、支柱１５への新設主配線盤の固定作業にあたっては、数珠繋ぎ状に吊された４つの既設の主配線盤１０の全てに主配線盤用養生具１を被覆して、既設の主配線盤１０の養生を行うことが可能である。
【００７１】
［本発明の第２の実施形態に係る主配線盤用養生具］
本発明の第２の実施形態に係る主配線盤用養生具について、図４を用いて説明する。
図４は、本発明の第２の実施形態に係る主配線盤用養生具を示す図であり、（ａ）はその構成、（ｂ）は、主配線盤に被覆した状態を示している。この第２の実施形態において、
第１の実施形態と同様な部分は、同一の符号を付してその説明を省略する。図４に示すように、本発明の第２の実施形態においては、第１の実施形態に比して、袋体部を袖状に構成して窓部を備えた点のみが相違する。
【００７２】
即ち、本発明の第２の実施形態に係る主配線盤用養生具６は、図４に示すように、主配線盤用養生具６の袋体部７を少々長尺に構成し、例えば、長尺の長手方向を介して開口部８に対向する位置に開口からなる窓部９を設けて袖状に構成して袋体部を袖体部７としたものである。
【００７３】
本発明の第２の実施形態に係る主配線盤用養生具６の使用にあたっては、輪ゴム部７ａが周囲に配された開口部８を介して、作業対象以外の主配線盤１０に主配線盤用養生具６を取り付ける。この取り付けによって、図４（ａ）における矢印の方向に、主配線盤用養生具６が、図４（ｂ）に示すように、その自重で折れ曲がり（垂れ下がり）、主配線盤１０を外部から被覆かつ閉塞する。
【００７４】
作業中等に、主配線盤用養生具６によって被覆された主配線盤１０の状態を確認したいような場合は、袖体部７を持ち上げて、窓部９から内部の主配線盤１０を容易に確認することも可能である。
【００７５】
尚、主配線盤１０にあたっては、その側面においてジャンパ線１４が接続されていることを考慮し、主配線盤用養生具６の袋体部７を図４の如き袖状に構成するのではなく、スカートの如く、開口部８側から窓部９の方向に漸次、径が拡がる円錐台状に構成して、主配線盤１０の側面におけるジャンパ線１４の接続状態の確認を容易とすることも可能である。
【００７６】
尚、本発明の第２の実施形態に係る主配線盤用養生具６においては、その変形例として、窓部９の構成をも輪ゴム部７ａを備える開口部８として、袖体部７の長手方向を介して輪ゴム部７ａを備える２つの開口部８が対向する構成として、開口部８を複数備える構成としてもよい。
【００７７】
この発明は、その本質的特性から逸脱することなく数多くの形式のものとして具体化することができる。よって、上述した実施形態は専ら説明上のものであり、本発明を制限するものではないことは言うまでもない。
【符号の説明】
【００７８】
１      主配線盤用養生具（第１の実施形態）
２      袋体部
２ａ    輪ゴム部
３      開口部
４      情報表示部
６      主配線盤用養生具（第２の実施形態）
７      袋体部（袖体部）
７ａ    輪ゴム部
８      開口部
９      窓部
１０    主配線盤（ＭＤＦ）
１０ａ  正面
１０ｂ  相対面（背面）
１０ｃ  平面
１０ｄ  底面
１０ｅ  左側面
１０ｆ  右側面
１１    端子部
１１ａ  凹部
１２    ガイド部
１２ａ  ガイド孔
１３    取付部
１３ａ  挿通孔
１４    ジャンパ線
１４ａ  素線
１４ｂ  被覆部
１５    支持柱
１５ａ  螺子穴
１６    螺子
１７    半田
１９    紐体
Ｘ      作業対象の主配線盤
Ｙ      Ｘの周囲の主配線盤
Ｚ      長尺状の主配線盤用養生具
【図１】
2014033345.tif 000003
【図２】
2014033345.tif 000004
【図３】
2014033345.tif 000005
【図４】
2014033345.tif 000006
【図５】
2014033345.tif 000007
【図６】
2014033345.tif 000008